(57)【要約】【課題】一種類の調整板で、様々な勾配の鼻隠し板に対応することができる軒樋支持具を提案することを課題とする。【解決手段】本発明の軒樋支持具は、軒樋１を支持する支持具本体２と、鼻隠し板３と支持具本体２との間に取り付けられる１枚または複数枚の調整板４とを備える。調整板４は、支持具本体２側を向く第一面４０と、鼻隠し板３側を向く第二面４１とを有する。第二面４１は第一面４０に対して傾いて位置する。第一面４０に第一係止部５が設けられ、第二面４１に第二係止部６が設けられる。調整板４同士を重ね合わせたときに、一方の調整板４が有する第二面４１と他方の調整板４が有する第一面４０とが当接して、第一係止部５と第二係止部６とが係止し合う。【選択図】図１
2014194109.tif 000002
【特許請求の範囲】
【請求項１】
軒樋を支持する支持具本体と、鼻隠し板と前記支持具本体との間に取り付けられる１枚または複数枚の調整板とを備え、
前記調整板は、
前記支持具本体側を向く第一面と、前記鼻隠し板側を向く第二面とを有し、
前記第二面は前記第一面に対して傾いて位置し、
前記第一面に第一係止部が設けられ、前記第二面に第二係止部が設けられ、
前記調整板同士を重ね合わせたときに、一方の前記調整板が有する前記第二面と他方の前記調整板が有する前記第一面とが当接して、前記第一係止部と前記第二係止部とが係止し合うことを特徴とする軒樋支持具。
【請求項２】
前記調整板は、前記第一係止部及び前記第二係止部とは別に、固定孔を有し、
前記調整板同士は、それぞれの前記固定孔に挿通される固定具によって、重ね合わせた状態で固定されることを特徴とする請求項１に記載の軒樋支持具。
【発明の詳細な説明】
【技術分野】
【０００１】
本発明は、軒樋を水平に支持する軒樋支持具に関する。
【背景技術】
【０００２】
特許文献１には、軒樋を吊持する吊具本体と、鼻隠し板と吊具本体との間に取り付けられる補助部材とを備えた軒樋支持具が開示されている。
【０００３】
補助部材は、板状の部材であり、鼻隠し板の勾配に対応して、厚みが上端から下端に向かって漸増している。
【０００４】
このように鼻隠し板の勾配に対応した厚みの漸増割合を有する補助部材を、調整板として用いることで、特許文献１の軒樋支持具では、軒樋の水平な取付を実現している。
【先行技術文献】
【特許文献】
【０００５】
【特許文献１】特開２００９−１７４２３０号公報
【発明の概要】
【発明が解決しようとする課題】
【０００６】
上述した特許文献１の軒樋支持具では、様々な勾配の鼻隠し板に対応するために、厚みの漸増割合が異なる複数種類の調整板（補助部材）が必要である。
【０００７】
そのため、特許文献１の軒樋支持具では、製造コストが嵩むといった問題があった。
【０００８】
上記事情を鑑みて、本発明は、一種類の調整板で、様々な勾配の鼻隠し板に対応することができる軒樋支持具を提案することを課題とする。
【課題を解決するための手段】
【０００９】
上記課題を解決するために本発明の軒樋支持具は、軒樋を支持する支持具本体と、鼻隠し板と前記支持具本体との間に取り付けられる１枚または複数枚の調整板とを備え、前記調整板は、前記支持具本体側を向く第一面と、前記鼻隠し板側を向く第二面とを有し、前記第二面は前記第一面に対して傾いて位置し、前記第一面に第一係止部が設けられ、前記第二面に第二係止部が設けられ、前記調整板同士を重ね合わせたときに、一方の前記調整板が有する前記第二面と他方の前記調整板が有する前記第一面とが当接して、前記第一係止部と前記第二係止部とが係止し合うことを特徴とする。
【００１０】
また、前記調整板は、前記第一係止部及び前記第二係止部とは別に、固定孔を有し、前記調整板同士は、それぞれの前記固定孔に挿通される固定具によって、重ね合わせた状態で固定されることが好ましい。
【発明の効果】
【００１１】
本発明の軒樋支持具では、支持具本体と鼻隠し板との間に取り付けられる調整板を、複数枚重ね合わせ可能に設けている。そのため、本発明の軒樋支持具では、支持具本体と鼻隠し板との間に取り付けられる調整板の枚数を変更することで、勾配の異なる様々な鼻隠し板に対して、軒樋の水平な取り付けを実現することができる。したがって、本発明の軒樋支持具では、一種類の調整板で、様々な勾配の鼻隠し板に対応することができる。
【図面の簡単な説明】
【００１２】
【図１】本発明の実施形態の軒樋支持具の使用例を示す側面断面図である。
【図２】同上の軒樋支持具の調整板を示し、（ａ）は正面図であり、（ｂ）は平面図であり、（ｃ）は側面図であり、（ｄ）は斜視図である。
【図３】同上の軒樋支持具の他の使用例を示す側面断面図である。
【発明を実施するための形態】
【００１３】
以下、本発明の実施形態について添付図面に基づいて説明する。
【００１４】
図１には、本実施形態の軒樋支持具の使用例を示している。軒樋支持具は、鼻隠し板３に取り付けられて、軒樋１を水平に支持する。本実施形態の軒樋支持具は、軒樋１を支持する支持具本体２と、鼻隠し板３と支持具本体２との間に取り付けられる１枚または複数枚の調整板４とを備える。以下では、図１に示す取付状態を基準として、鼻隠し板３に対して軒樋支持具が位置する側を前方とし、その反対方向を後方とし、この前後方向に直交する水平方向を左右方向として、各構成について説明する。
【００１５】
調整板４は、図２（ａ）に示すように、正面視略矩形の板状部材である。調整板４は、ポリカーボネート等のプラスチック製である。なお、調整板４は、他の適宜な樹脂や金属からも形成可能である。図１及び図２（ｃ）に示すように、調整板４は、支持具本体２側を向く第一面４０と、鼻隠し板３側を向く第二面４１とを有する。調整板４は、前面が第一面４０であり、後面が第二面４１である。
【００１６】
調整板４は、第二面４１が第一面４０に対して傾いて位置する。詳しくは、調整板４は、図２（ｃ）に示すように、第一面４０を鉛直方向に沿わせた状態で、第二面４１が上側ほど前方に位置するように傾斜している。調整板４は、前後方向の厚みが、上端から下端に向かって漸増するように形成されている。
【００１７】
調整板４は、図２（ａ）に示すように、正面視矩形の板状の本体部４２と、この本体部４２の左右両端からそれぞれ側方に向けて突出する正面視矩形の板状の突条部４３とを備える。本体部４２は、支持具本体２の後述する板状の固定部２０が重ね合わされる部位である。突条部４３は、本体部４２よりも上下方向の長さが短い。突条部４３は、本体部４２の左右両端の上下方向の中央部に配されている。なお、突条部４３は、本体部４２と同じ上下長さであってもよい。
【００１８】
図２（ｃ）に示すように、本体部４２の前面と各突条部４３の前面は、面一である。本体部４２の前面と各突条部４３の前面によって、第一面４０は構成される。また、本体部４２の後面と各突条部４３の後面は、面一である。本体部４２の後面と各突条部４３の後面によって、第二面４１は構成される。本体部４２は、側面視台形状であり、各突条部４３は、本体部４２よりも上下長さの短い側面視台形状である。
【００１９】
図２に示すように、第一面４０には、第一係止部５及び保持片部９が設けられている。そして、第二面４１には、第二係止部６及び収納凹部４４が設けられている。図１に示すように、２枚の調整板４同士を前後に重ね合わせたときに、前側に位置する一方の調整板４が有する第二面４１と、後側に位置する他方の調整板４が有する第一面４０とが当接する。このとき、前側に位置する調整板４の第二係止部６と、後側に位置する調整板４の第一係止部５とが係止し合う。そして、このとき、前側に位置する調整板４の収納凹部４４内に、後側に位置する調整板４の保持片部９が収まる。
【００２０】
第一係止部５は、図２）に示すように、突条部４３の前面から略垂直に突出した円柱状の突起である。第一係止部５は、各突条部４３に２つずつ配置されている。各突条部４３に位置する２つの第一係止部５は、上下方向に離間させて配置されている。
【００２１】
保持片部９は、図２（ｂ）に示すように、各突条部４３の前面から略垂直に突出した平断面台形状の突起である。左右の保持片部９，９間の距離は、本体部４２の左右幅と同じである。
【００２２】
保持片部９は、図２（ａ）に示すように、各突条部４３に２つずつ配置されている。各突条部４３に位置する２つの保持片部９は、上下方向に離間させて配置されている。２つの保持片部９は、各突条部４３に位置する２つの第一係止部５間に配置されている。
【００２３】
第二係止部６は、図２（ｃ）に示すように、突条部４３の後面を前方に凹ませて形成した溝である。第二係止部６は、第一係止部５の配置に対応するように、各突条部４３に２つずつ配置されている。各突条部４３に位置する２つの第二係止部６は、上下方向に離間させて配置されている。各第二係止部６は、各第一係止部５と前後方向に並ぶように設けられる。
【００２４】
収納凹部４４は、突条部４３の後面を前方に凹ませて形成した溝である。収納凹部４４は、保持片部９の配置に対応するように、各突条部４３に２つずつ配置されている。各突条部４３に位置する２つの収納凹部４４は、上下方向に離間させて配置されている。２つの収納凹部４４は、各突条部４３に位置する２つの第二係止部６間に配置されている。各収納凹部４４は、各保持片部９と前後方向に並ぶように設けられる。収納凹部４４は、保持片部９を収納可能な形状の溝である。なお、収納凹部４４は、保持片部９が嵌め込まれる溝であってもよい。
【００２５】
なお、各突条部４３に位置する２つの収納凹部４４は、連通する１つの溝であってもよい。また、各突条部４３に位置する２つの保持片部９は、一体の１つの突起であってもよい。
【００２６】
調整板４は、図２（ａ）に示すように、第一係止部５及び第二係止部６とは別に、固定孔７を有する。固定孔７は、釘やビスなどの固定具８が挿入される孔である。調整板４は、固定孔７に挿入された固定具８が鼻隠し板３に打ち付けられることで、鼻隠し板３に固定される。固定孔７は、本体部４２を前後方向に貫通する孔であり、上下方向を長手方向とする長孔である。固定孔７は、本体部４２に２つ形成されている。２つの固定孔７は、左右に離間させて設けられ、略平行に配置されている。
【００２７】
上述した調整板４は、前後に複数枚重ね合わせ可能である。本実施形態では、２枚の調整板４同士を前後に重ね合わせたときに、前側に位置する調整板４の第二面４１と、後側に位置する調整板４の第一面４０とが当接する。このとき、前側に位置する調整板４の溝状の第二係止部６に、後側に位置する調整板４の突起状の第一係止部５が嵌め込まれて合致する。そして、このとき、前側に位置する調整板４の溝状の収納凹部４４内に、後側に位置する調整板４の突起状の保持片部９が収まる。また、このとき、前側に位置する調整板４の各固定孔７と、後側に位置する調整板４の各固定孔７は前後方向に並んで連通する。
【００２８】
以上のようにして調整板４を複数枚重ね合わせて形成される調整板ユニットでは、一番前に位置する調整板４の前面（第一面４０）に対して、一番後ろに位置する調整板４の後面（第二面４１）の傾きを、重ね合わせ枚数に応じて変えることができる。これにより、調整板ユニットは、鼻隠し板３の勾配に合わせて前面に対する後面の傾きを調整できる。つまり、調整板ユニットは、鼻隠し板３に後面を当接させた状態で、支持具本体２の固定部２０が重ねられる前面を、鉛直方向に略沿った方向とすることができる。
【００２９】
軒樋１を支持する支持具本体２は、従来の軒樋支持具と同様の構成を有している。支持具本体２は、図１に示すように、板状の固定部２０と、固定部２０の上端部から前方に向けて突出した支持部２１とを備える。支持具本体２は、ポリカーボネート等のプラスチック製である。なお、支持具本体２は、他の適宜な樹脂や金属からも形成可能である。
【００３０】
支持具本体２の支持部２１は、本実施形態では、軒樋１を吊り支持する。支持部２１の前端部上端には、軒樋１の後述する前耳部１３が嵌合可能な凹状の前受け部２２を有する。支持部２１の後端部下側には、軒樋１の後述する後耳部１４を係止可能な後受け部２３を有する。
【００３１】
支持具本体２の固定部２０は、正面視矩形の板状であり、左右方向の中央部から支持部２１が前方に向けて突出している。固定部２０には、固定具８が挿入される挿入孔２４が左右に離間して設けられている。固定部２０における各挿入孔２４の左右位置は、調整板４の本体部４２における各固定孔７の左右位置と同じである。挿入孔２４は、固定部２０を前後に貫通する孔である。本実施形態では、固定部２０の左右両側に、挿入孔２４を複数個ずつ（図では２つずつ）有する。この複数の挿入孔２４は、互いに上下に離間した位置に配置されている。固定部２０の左右幅は、調整板４の本体部４２の左右幅と略同じである。つまり、固定部２０の左右幅は、左右の保持片部９，９間の距離と略同じである。
【００３２】
支持具本体２によって支持される軒樋１は、例えば左右方向に長い角樋である。言い換えると、本実施形態において、軒樋１の長手方向が左右方向となっている。軒樋１は、底壁１０と、底壁１０の前端から上方に向けて突出した前壁１１と、底壁１０の後端から上方に向けて突出した後壁１２とを備える。前壁１１の上端部には前耳部１３を有し、後壁１２の上端部には後耳部１４を有する。なお、軒樋１は、丸樋であってもよい。
【００３３】
支持具本体２は、固定部２０を鼻隠し板３に直接固定する様態と、固定部２０を１枚または複数枚の調整板４を介して鼻隠し板３に固定する様態の２パターンで使用される。
【００３４】
なお、上述した本実施形態の支持具本体２は、軒樋１を吊り支持するものであったが、支持具本体２は、軒樋１を下から支えて支持するものであってよい。また、支持具本体２は、支持部２１が前後に伸縮するものであってもよい。その場合、支持具本体２は、軒樋１を支持する前後箇所を調節することができる。
【００３５】
続いて、上述した本実施形態の軒樋支持具を用いて、勾配の付いた鼻隠し板３に軒樋１を水平に取り付ける施工手順の一例について説明する。なお、軒樋１を水平に取り付けるとは、軒樋１を前後方向に水平に取り付けることを意味する。
【００３６】
まず、施工者は、鼻隠し板３の勾配に合わせて、重ね合わせる調整板４の枚数を決定する。詳しくは、複数枚の調整板４で構成される調整板ユニットの後面を鼻隠し板３に当接させた状態で、調整板ユニットの前面が鉛直方向に略沿うように、重ね合わせる調整板４の枚数を決定する。なお、調整板ユニットは、１枚の調整板４だけで構成してもよい。ここで、調整板ユニットでは、前側に位置する調整板４の第二係止部６に、その１つ後側に位置する調整板４の第一係止部５が嵌まり込み、且つ前側の調整板４の収納凹部４４に、後側の調整板４の保持片部９が収納される。これにより、調整板ユニットでは、前側の調整板４の第二面４１と後側の調整板４の第一面４０とが当接した状態で連結される。
【００３７】
次いで、施工者は、調整板ユニットの前面（本体部４２の前面）に、支持具本体２の固定部２０の後面を当接させる。このとき、固定部２０は、調整板ユニットの前面に有する左右の保持片部９によって左右方向に位置決めされ、固定部２０の各挿入孔２４と調整板４の各固定孔７とが前後方向に並んで連通する。
【００３８】
次いで、施工者は、支持具本体２を当接させた調整板ユニットの後面を、鼻隠し板３に当接させる。次いで、施工者は、固定具８を支持具本体２の各挿入孔２４、そして、調整板４の各固定孔７へと順に挿入して、鼻隠し板３へと打ち付けることで、支持具本体２及び調整板４を鼻隠し板３に固定する。このとき、調整板ユニットでは、調整板４同士が、それぞれの固定孔７に挿通される固定具８によって、重ね合わせた状態で固定される。
【００３９】
そして、同様の手順で、施工者は、鼻隠し板３の長手方向（左右方向）に沿って、複数の軒樋支持具を、間隔を空けながら、鼻隠し板３に固定する。
【００４０】
次いで、複数の軒樋支持具に亘るように、軒樋１を取り付ける。このとき、軒樋１の前耳部１３を各軒樋支持具の前受け部２２に嵌合させ、且つ、軒樋１の後耳部１４を各軒樋支持具の後受け部２３に係止させる。
【００４１】
以上のようにして、軒樋１は、軒樋支持具によって勾配の付いた鼻隠し板３に前後方向に水平に取り付けることができる。また、軒樋１は、長手方向（左右方向）には水が流れる勾配を付けた状態で取り付けられる。
【００４２】
図１には、調整板４を２枚重ねて用いた例を示し、図３には、調整板４を３枚重ねて用いた例を示している。調整板４を３枚重ねることで、調整板４を２枚重ねた場合と比べて、さらに勾配の付いた鼻隠し板３に対して軒樋１を前後方向に水平に取り付けることができる。なお、鼻隠し板３の傾きが図１や図３に示す傾きとは逆の傾きの場合には、調整板４は、上下逆にして用いることができる。図示していないが、調整板４を１枚だけ用いて、軒樋１を鼻隠し板３に水平に取り付けるようにしてもよい。
【００４３】
以上説明した本実施形態の軒樋支持具では、支持具本体２と鼻隠し板３との間に取り付けられる調整板４を、複数枚重ね合わせ可能に設けている。そのため、本実施形態の軒樋支持具では、支持具本体２と鼻隠し板３との間に取り付けられる調整板４の枚数を変更することで、勾配の異なる様々な鼻隠し板３に対して、軒樋１の水平な取り付けを実現することができる。したがって、本実施形態の軒樋支持具では、一種類の調整板４で、様々な勾配の鼻隠し板３に対応することができる。
【００４４】
また、本実施形態の軒樋支持具では、一種類の調整板４で、様々な勾配の鼻隠し板３に対応することができるので、鼻隠し板３の勾配に応じて、特注の調整板を形成する必要がないため、費用及び納期を抑えることができる。また、本実施形態の軒樋支持具では、調整板４の製造用の型を複数種類作らなくてもよいので、製造コストを抑えることができる。また、本実施形態の軒樋支持具では、調整板４の在庫削減効果も得られる。したがって、本実施形態の軒樋支持具によれば、プラスチック製の軒樋支持具の販売拡大に寄与できる。
【００４５】
また、本実施形態の軒樋支持具では、調整板４同士を、それぞれの固定孔７に挿通される固定具８によって、重ね合わせた状態で固定されるようにしたことで、もし仮に第一係止部５と第二係止部６による係止が不十分であったとしても、調整板４同士を確実に連結することができる。
【００４６】
また、本実施形態の軒樋支持具では、調整板４に、保持片部９を収納可能な収納凹部４４を設けたことで、調整板４同士を重ね合わせる際に、保持片部９が邪魔になって、重ね合わせできなくなることを防止できる。
【００４７】
また、本実施形態の軒樋支持具では、調整板４のうち、支持具本体２の固定部２０が当接される本体部４２以外の部位（つまり、突条部４３）に、第一係止部５及び保持片部９を設けたことで、既存の支持具本体２を調整板４に取り付けることができる。そのため、本実施形態の軒樋支持具は、専用の支持具本体２を製造しなくてもよい。なお、調整板４の本体部４２に第一係止部５及び保持片部９を設けるようにしてもよい。その場合、支持具本体２の固定部２０の後面に、第一係止部５が収納される収納溝と、保持片部９が嵌め込まれて係止用溝を設けた専用の支持具本体２を製造すればよい。
【００４８】
なお、上述した実施形態では、第一係止部５は突起であり、第二係止部６は溝であったが、その逆でもよい。また、複数の第一係止部５は、一部が突起でその他が溝であってもよい。その場合、各第二係止部６を、対応するように溝または突起で形成すればよい。
【００４９】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５０】
１      軒樋
２      支持具本体
３      鼻隠し板
４      調整板
５      第一係止部
６      第二係止部
７      固定孔
８      固定具
４０    第一面
４１    第二面
【図１】
2014194109.tif 000003
【図２】
2014194109.tif 000004
【図３】
2014194109.tif 000005